(57)【要約】【課題】バレルの重量及び重心位置を自由に変更できるダーツを提供すること。【解決手段】バレル１と、バレル１の先端部に取り付けられるチップ２と、バレル１の後端部に取り付けられるシャフト３と、シャフト３に取り付けられるフライト４とからなるダーツにおいて、バレル１内部には軸方向中央部の隔壁１ｏを挟んでその前後両側にバレル１の両端に開口するネジ孔８，９を形成し、チップ２の後端部にはバレル１の前部側ネジ孔８に螺合する取付用ネジ部１１を、シャフト３の先端部には後部側ネジ孔９に螺合する取付用ネジ部１２を夫々形成する一方、バレル１の各ネジ孔８，９に螺入可能で重量の異なる複数種類の錘片５，６，７を設け、これら錘片５，６，７を選択的にバレル１の前部側ネジ孔８及び後部側ネジ孔９に螺入することによって、バレル１の重量及び重心位置を変えるようにした。【選択図】図１
2008142399.tif 000002
【特許請求の範囲】
【請求項１】
バレルと、バレルの先端部に取り付けられるチップと、バネルの後端部に取り付けられるシャフトと、シャフトに取り付けられるフライトとからなるダーツにおいて、
バレル内部には軸方向中央部の隔壁を挟んでその前後両側にバレルの両端に開口するネジ孔を形成し、チップの後端部にはバレルの前部側ネジ孔に螺合する取付用ネジ部を、シャフトの先端部には後部側ネジ孔に螺合する取付用ネジ部を夫々形成する一方、バレルの各ネジ孔に螺入可能で重量の異なる複数種類の錘片を設け、これら錘片を選択的にバレルの前部側ネジ孔及び後部側ネジ孔に螺入することによって、バレルの重量及び重心位置を変えるようにしたことを特徴とするダーツ。
【請求項２】
前記複数種類の錘片は、夫々同じ金属材で形成された長さの異なるものからなることを特徴とする請求項１に記載のダーツ。
【発明の詳細な説明】
【技術分野】
【０００１】
本発明は、壁などに用意された的（ダーツボード）に矢を当てて得点を競うダーツの改良に関するものである。
【背景技術】
【０００２】
ダーツは、バレルと、バレルの先端部に取り付けられるチップと、バネルの後端部に取り付けられるシャフトと、シャフトに取り付けられるフライトとから構成される。これらのダーツ構成部材のうちバレルは、いわゆるダーツの本体で、プレーヤーがダーツを投げる際に手に持つ部分であり、この部分の掴み易さと共に、その重量及び重心位置によって結果が左右されることから、バレルはダーツにおいて非常に重要な役割を果たしている。特にダーツゲームでは、ダーツの重量及び重心位置を変えることによって、プレーヤーは様々なプレースタイルを実現して、より高い得点を上げることができるとされている。
【０００３】
従来のダーツとして、特許公報等の公知文献を具体的な上げることはできないが、従来使用されているダーツでは、バレル自体の重量及び重心位置が固定されているため、プレーヤーは、プレースタイルに応じて、夫々重量及び重心位置の種々異なった多数のバレルを用意する必要があった。
【発明の開示】
【発明が解決しようとする課題】
【０００４】
本発明は、バレルの重量及び重心位置を自由に変更できるようにしたダーツを提供することを目的とする。
【課題を解決するための手段】
【０００５】
上記課題を解決するための手段を、後述する実施形態の参照符号を付して説明すると、本発明の請求項１に係る発明は、バレル１と、バレル１の先端部に取り付けられるチップ２と、バレル１の後端部に取り付けられるシャフト３と、シャフト３に取り付けられるフライト４とからなるダーツにおいて、
バレル１内部には軸方向中央部の隔壁１ｏを挟んでその前後両側にバレル１の両端に開口するネジ孔８，９を形成し、チップ２の後端部にはバレル１の前部側ネジ孔８に螺合する取付用ネジ部１１を、シャフト３の先端部には後部側ネジ孔９に螺合する取付用ネジ部１２を夫々形成する一方、バレル１の各ネジ孔８，９に螺入可能で重量の異なる複数種類の錘片５，６，７を設け、これら錘片５，６，７を選択的にバレル１の前部側ネジ孔８及び後部側ネジ孔９に螺入することによって、バレル１の重量及び重心位置を変えるようにしたことを特徴とする。
【０００６】
尚、ダーツは、使用するダーツの矢先、的によってハードダーツとソフトダーツに分けられており、ハードダーツは、ブリッスルボードと呼ばれる麻でできた的に対し、金属製のチップを付けた矢（ダーツ）を投げるものであり、またソフトダーツは、プラスチック製の穴の開いた的に対し、プラスチック製のチップを付けた矢を投げるものであるが、この発明に係るダーツは、ハードダーツ及びソフトダーツの何れにも適用可能である。
【０００７】
請求項２は、請求項１に記載のダーツにおいて、前記複数種類の錘片５，６，７は、夫々同じ金属材で形成された長さの異なるものからなることを特徴とする。
【発明の効果】
【０００８】
上記解決手段による発明の効果を、後述する実施形態の参照符号を付して説明すると、請求項１に係る発明によれば、バレル１内部には軸方向中央部の隔壁１ｏを挟んで前後両側にバレル１の両端に開口するネジ孔８，９を形成し、チップ２の後端部にはバレル１の前部側ネジ孔８に螺合する取付用ネジ部１１を、シャフト３の先端部には後部側ネジ孔９に螺合する取付用ネジ部１２を夫々形成する一方、バレル１の各ネジ孔８，９に螺入可能で重量の異なる複数種類の錘片５，６，７を設けてなるもので、複数種類の錘片５，６，７を選択的にバレル１の前部側ネジ孔８及び後部側ネジ孔９に螺入することによって、バレル１の重量及び重心位置を変えるようにするから、プレーヤーは、１つのダーツだけで、様々なプレースタイルを実現して、より高い得点を上げることができる。
【０００９】
またこの発明にあっては、バレル１内部に軸方向中央部の隔壁１ｏを設けているから、錘片５，６，７をバレル１の端部からねじ込んで取り付ける際に各錘片５，６，７の先端部を隔壁１ｏに当てることによって、取付位置を固定できると共に、重心位置の変更を容易に確認することができる。
【００１０】
請求項２に係る発明のように、複数種類の錘片５，６，７を、夫々同じ金属材で長さが異なるように形成すれば、製造が容易でコストを安くできる。
【発明を実施するための最良の形態】
【００１１】
以下に本発明の好適な実施形態を図面にもとづいて説明すると、図１は本発明に係るダーツの一部断面拡大側面図、図２の(a) は図１に示すダーツの分解図、(b) 〜(c) は複数種類の錘片を示す夫々側面図、(e) は錘片の基端面を示す端面図、(f) は錘片の縦断面図であり、図３は本発明のダーツの種々の使用例を示す一部断面側面図である。このダーツは、いわゆるソフトダーツからなるもので、バレル１と、このバレル１の先端部に取り付けられるチップ２と、バレル１の後端部に取り付けられるシャフト３と、このシャフト３に取り付けられるフライト４と、バレル１内に螺入される３種類の錘片５，６，７とによって構成される。
【００１２】
上記ダーツの構造について図２を参照して更に詳しく説明すると、バレル１は、ニッケルやタングステン等の金属によって形成されたもので、バレル１の内部には、軸方向中央部に設けられた隔壁１ｏを挟んでその前後両側にバレル１の両端に開口するネジ孔８，９が形成され、このバレル１の外周面には滑り止め用の刻み１０が形成されている。このバレル１の重さは１６〜２０ｇとされる。
【００１３】
チップ２はプラスチックによって形成されたもので、このチップ２の後端部には、バレル１の前部側ネジ孔８の先端部に螺合される取付用ネジ部１１が形成されている。シャフト３もプラスチックによって形成されたもので、シャフト３の先端部にはバレル１の後部側ネジ孔９の後端部に螺合される取付用ネジ部１２が形成され、シャフト３の後部側にはフライト４を取り付けるための断面十字形の差込溝１３が形成されている。フランジは、プラスチック製の４枚の羽根４ａからなるもので、シャフト３の差込溝１３に差し込んで取り付けられるようになっている。
【００１４】
図２の(b)、 (c) 及び(d)は、バレル１の各ネジ孔８，９に螺入可能で、重量の異なる３種類の錘片５，６，７を示したもので、これらの錘片５，６，７を選択的にバレル１の前部側ネジ孔８及び後部側ネジ孔９に螺入することにより、バレル１の重量及び重心位置を変えることができるようになっている。
【００１５】
これらの錘片５，６，７は、バレル１と同じニッケルやタングステン等の金属によって形成されている。これら錘片５，６，７は、夫々同じ金属材で長さが異なるように形成されたもので、錘片５が０．４ｇ、錘片６が０．６ｇ、錘片７が０．８ｇで、長さに比例した重さとなっており、錘片５を小の錘片、錘片６を中の錘、錘片７を大の錘とする。
【００１６】
図１に示すダーツでは、バレル１の前部側ネジ孔８に小の錘５を螺入し、後部側ネジ孔９に大の錘７を螺入した使用状態を示す。尚、錘片５，６，７をバレル１のネジ孔８，９に螺入する場合は、各錘片５，６，７の基端面に設けてある例えばプラス形の溝１４にドライバー（ネジ回し）を係合して、ネジ孔８，９の奥までねじ込むようにする。
【００１７】
図３の(a) 〜(p)には、上記３種類の錘片５，６，７を選択的にバレル１の前部側ネジ孔８及び後部側ネジ孔９に螺入して取り付けることにより、バレル１の重量及び重心位置を変えた種々多様なダーツを示している。尚、この図３の(a)〜(p)のダーツは、フライト４を取り外した状態とする。
【００１８】
先ず(a) に示すダーツは、バレル１のネジ孔８，９に何の錘片５，６，７も取り付けていない場合を示す。(b)〜(d) に示すダーツは、後部側ネジ孔９のみに何れかの錘片５，６，７を取り付けた場合で、(b)のダーツは、後部側ネジ孔９に小の錘５を螺入して取り付けた場合を示している。(a)と(b)とを比較すると、(b)のダーツは小の錘５を取り付けた分（０．４ｇ）だけ(a) よりも重くなり、重心は(a) よりもほんの僅かに後側へ移動した状態となる。(c) に示すダーツは、後部側ネジ孔９に中の錘６（０．６ｇ）を螺入して取り付けた場合を示し、これを(b) と比較すると、(b)のダーツよりも僅かに重くなり、重心は(a)よりもごく僅かだけ後側へ移動した状態となる。(d) に示すダーツは、後部側ネジ孔９に大の錘７（０．６ｇ）を取り付けた場合を示したもので、これを(c) と比較すると、(c) のダーツより僅かに重くなり、重心は(c) よりごく僅かだけ後側へ移動した状態となる。
【００１９】
(e) 〜(g) に示すダーツは、前部側ネジ孔８のみに何れかの錘片５，６，７を取り付けた場合であり、(e)のダーツは、前部側ネジ孔８に小の錘５を取り付けた場合を示す。(e)と(a)とを比較すると、(e) のダーツは小の錘５を取り付けた分（０．４ｇ）だけ(a)より重く、重心は(a) よりほんの僅かに前側へ移動した状態となる。(f) のダーツは、前部側ネジ孔８に中の錘６を取り付けた場合を示し、(g) のダーツは、前部側ネジ孔８に大の錘７を取り付けた場合を示す。尚、(b)と(e) のダーツ、(c) と(f)のダーツ、及び(d)と(g)のダーツは、重心位置は夫々異なるが、重さは同じである。
【００２０】
(h) 〜(j) に示すダーツは何れも前部側ネジ孔８に小の錘５を取り付けた場合であり、(h)のダーツは後部側ネジ孔９の小の錘５を取り付け、(i)のダーツは後部側ネジ孔９の中の錘６を取り付け、(j) のダーツは後部側ネジ孔９の大の錘７を取り付けた場合を示し、重さは(h)、(i)、(j) の順に少しずつ重くなり、重心は(h)、(i)、(j) の順に少しずつ後側へ移動する。
【００２１】
(k) 〜(m) に示すダーツは何れも前部側ネジ孔８に中の錘６を取り付けた場合であり、(k)のダーツは後部側ネジ孔９の小の錘５を取り付け、(l)のダーツは後部側ネジ孔９の中の錘６を取り付け、(m) のダーツは後部側ネジ孔９の大の錘７を取り付けた場合を示し、重さは(k)、(l)、(m) の順に少しずつ重くなり、重心は(k)、(l)、(m) の順に少しずつ後側へ移動する。
【００２２】
(n) 〜(p) に示すダーツは何れも前部側ネジ孔８に大の錘７を取り付けた場合であり、(n)のダーツは後部側ネジ孔９の小の錘５を取り付け、(o)のダーツは後部側ネジ孔９の中の錘６を取り付け、(p) のダーツは後部側ネジ孔９の大の錘７を取り付けた場合を示し、重さは(n)、(o)、(p) の順に少しずつ重くなり、重心は(n)、(o)、(p) の順に少しずつ後側へ移動することになる。
【００２３】
以上説明したように、本発明のダーツによれば、バレル１内部には軸方向中央部の隔壁１ｏを挟んで前後両側にバレル１の両端に開口するネジ孔８，９を形成し、チップ２の後端部にはバレル１の前部側ネジ孔８に螺合する取付用ネジ部１１を、シャフト３の先端部には後部側ネジ孔９に螺合する取付用ネジ部１２を夫々形成する一方、バレル１の各ネジ孔８，９に螺入可能で重量の異なる複数種類の錘片５，６，７を設けてなるもので、複数種類の錘片５，６，７を選択的にバレル１の前部側ネジ孔８及び後部側ネジ孔９に螺入することによって、バレル１の重量及び重心位置を変えるようにしたから、プレーヤーは、多数のダーツを用意する必要がなく、１つのダーツだけで、様々なプレースタイルを実現して、より高い得点を上げることができる。
【００２４】
また、バレル１内部には軸方向中央部の隔壁１ｏを設けているから、錘片５，６，７をバレル１の端部からねじ込んで取り付ける際に各錘片５，６，７の先端部を隔壁１ｏに当てることによって取付位置を固定できると共に、重心位置の変更を容易に確認できる。
【００２５】
この実施形態では、３種類の錘片５，６，７を設けたが、錘片は重量の異なる２種類のものでもよいし、３種類以上のものでもよい。またこれら複数種類の錘片は、夫々異なった材質を使用して重量が異なるようにすれば、同じ長さに形成してもよい。但し、この実施形態のように、複数種類の錘片５，６，７を、夫々同じ金属材で長さが異なるように形成すれば、製造が容易でコストを安くできる。
【００２６】
また、この実施形態は、プラスチック製の穴の開いた的（ダーツボード）にプラスチック製のチップを投げるようにするソフトダーツについて説明したが、本発明に係るダーツは、ブリッスルボードと呼ばれる麻でできた的に金属製のチップを矢を投げるようにするハードダーツも適用可能である。
【図面の簡単な説明】
【００２７】
【図１】本発明に係るダーツの一部断面拡大側面図である。
【図２】(a) は図１に示すダーツの分解図、(b) 〜(c) は複数種類の錘片を示す夫々側面図、(e) は錘片の基端面を示す端面図、(f) は錘片の縦断面図である。
【図３】本発明のダーツの種々の使用例を示す一部断面側面図である。
【符号の説明】
【００２８】
１              バレル
１ｏ            隔壁
２              チップ
３              シャフト
４              フライト
５，６，７      錘片
８              前部側ネジ孔
９              後部側ネジ孔
【図１】
2008142399.tif 000003
【図２】
2008142399.tif 000004
【図３】
2008142399.tif 000005